(57)【要約】  【課題】解決しようとする課題は、未使用となった或は不要となった商品を、オークションを介して再利用するシステムにおいて、適正な商品評価とオークション契約の遂行により、商品提供者及び商品を預かりオークション販売を行う側双方に、適正な利益を還元できるシステムを提供することにある。  【解決手段】本発明は、既存の販売店に代表される複数の加盟店で構成する出品商品受付窓口と、商品を適性評価し又は付加価値を付けオークション販売するシステムと、売買成立後商品提供者に換金する際に、各加盟店の商品券又は現金を選択できる事を主要な特徴とする。  【選択図】図２
2010026673.tif 000002
【特許請求の範囲】
【請求項１】
複数の加盟店で構成される出品商品受付窓口と、商品を適性評価し又は付加価値を付けオークション販売するシステムと、売買成立後商品提供者に換金する際に、各加盟店の商品券又は現金を選択できる事を特徴とするオークションリサイクルシステム。
【請求項２】
データベースを構成するサーバー上に設けられた、入力情報を保管する手段と、この情報に基づくオークション出品手段と、オークション経過情報を入手し、保管する手段と、経過情報を特定の個人認証キーにより開示する手段を有するオークションリサイクルシステム。
【発明の詳細な説明】
【技術分野】
【０００１】
本発明は不必要となった商品をオークションにより再利用するシステムに関する。
【背景技術】
【０００２】
地球環境問題が注目される中、再資源化による廃品等の再利用に関しては、家電リサイクル法等の法的な取り組みも含め、様々な方式の再資源化方法が提案されている。再資源化としては、大きく２つの方法があり、ひとつは廃品等を分解処理して、材料として再利用する方法と、廃品又は不必要となったものに修理、洗浄等を施し、商品として再利用するものである。
【０００３】
最近では、リサイクル店のように、不必要となった商品を査定に基づき買取後、修理又は洗浄等を施し、店内で販売をするものや、インターネットを利用したオークション販売をする仕組み等もでき、それらの利用者は増加傾向にあり、大きな市場として成長しつつある。
【０００４】
例えば、リサイクル店では、提供された不要品を店が査定を行い買取価格を示し、それに合意した提供者が、示された額の現金を受け取ることになるが、ほとんどの場合はその金額の低さに落胆することが多いのが実情である。リサイクル品を購入する者も、表示価格が思いもよらず高額であったりして、購買意欲を失うこともある。これらは、仕組みとして、低価格で仕入れた物を、修理・洗浄等により、付加価値をつけ更に店の利益を加えるシステムに起因するものと考えられる。
【０００５】
一方、オークションの場合は、提供される商品が現状渡しの場合が多く、中間利益が少ないこともあり、比較的低価格で提供され、購入価格は購入者側が決定できる点で、利用者の利便性が評価され、増加傾向にあるが、契約成立後に商品が届かない、代金が支払われない等のトラブルも後を絶たないのも実情である。更に、インターネットオークションの場合は、実物を見る機会はほとんどなく、写真や説明記事が唯一の情報源となり、商品の程度と価格の適正さを判断することが困難な場合もあり、パソコンが使えないと利用できない等の課題もある。
【０００６】
また、出品者が商品提供者から商品を収集し、代理として出品する場合等は、様々な商品の専門知識等を有していないと、商品の価値や適正評価ができず、購入者側に評価できる知識や見る目がないと、売買におけるリスクを背負うこととなる等の課題もある。
廃品のオークションシステムとしては、特開２００２−３４３６１２のように、廃棄品を回収して廃棄処分とするものと、再利用できるものを選別して、再利用可能なものをオークションに出品するシステムが出願されているが、提供者の利便性や商品の適正評価等については言及されていない。
【特許文献１】特開平６−２８５４０９
【発明の開示】
【発明が解決しようとする課題】
【０００７】
解決しようとする課題は、不必要となった商品を、オークションを介して再利用するシステムにおいて、適正な商品評価とオークション契約の遂行により、商品提供者及び商品を預かりオークション販売を行う側双方に、適正な利益を還元できるシステムを提供することにある。
【課題を解決するための手段】
【０００８】
本発明は、既存の販売店に代表される複数の加盟店で構成する出品商品受付窓口と、商品を適性評価し又は付加価値を付けオークション販売するシステムと、売買成立後商品提供者に換金する際に、各加盟店の商品券又は現金を選択できる事を主要な特徴とする。
【発明の効果】
【０００９】
不必要となった商品の出品者及び提供者は、オークション成立後に受け取る商品券又は現金により、あらたな商品購入の機会が生まれる。
【００１０】
加盟店は、オークション成立後に受け取る手数料を得ることができ、更に商品券又は現金に換金された提供者から、商品が購入される機会が生まれ、販売促進に繋がる。
【００１１】
購入者はより価値のあるものを、格安で購入する機会が生まれ、消費経済が活性化することにつながり、より大きな経済効果につながる。
【発明を実施するための最良の形態】
【００１２】
詳細について実施例をもとに説明する。
【実施例１】
【００１３】
ここではインターネットオークションを利用した例について説明する。
図１は本発明の基本構成の一例を示す構成図である。
【００１４】
複数の加盟店で構成される出品商品受付窓口を設置し、供給者からこの窓口へ出品商品が搬入される。窓口では、出品商品の購入年月、使用期間、購入価格、落札希望価格等の商品基本情報と共に商品を預かり、インターネットオークション用の個人認証キーを配布する。
【００１５】
提供された商品は、その価値、程度等から適正価格を評価し、場合により修理、洗浄等を行い、商品説明、落札希望価格等を表示して、オークションに出品する。
【００１６】
オークションの方法は、各加盟店の展示室、または専用の展示室等を設けた展示式オークションとインターネットを活用したオークションの２種類があるが、ここではインターネットオークションについて説明する。図２はインターネットオークションのシステムブロック図である。
【００１７】
出品担当者が、専用のプログラムで構成された商品情報入力画面に従い、商品情報を入力する、入力された情報はデータベースに保管され、既存のインターネットオークションを利用して、オークションに出品される。
【００１８】
データベースを構成するサーバー上には、入力情報を保管する手段と、この情報に基づくオークション出品手段と、オークション経過情報を入手及び保管する手段と、経過情報を特定の個人認証キーにより開示する手段を有するシステム構成とする。
【００１９】
落札者からの落札情報は、データベースに入力され、出品担当者へ通知される。また、出品者は、配布された個人認証キーにより、落札情報等の経過を確認することができる。
【００２０】
落札された商品は、購入者から落札価格額を回収し、加盟店の手数料を差し引いて、加盟店の商品券又は現金にて、出品者へ換金する。現金の場合は商品券よりも割り引かれるような条件を取り入れてもよい。
【００２１】
換金された商品券は加盟店で消費され、加盟店の販売促進に繋がると同時に、出品者もあらたな商品購入を果たすことが可能となる。
【実施例２】
【００２２】
ここでは、展示式オークションについて説明する。
【００２３】
前述の出品された商品は、インターネットオークションに出品されると同時に、加盟店の展示室又は専用の展示室に展示され、展示式オークションとしても出品される。
【００２４】
例えば、来店された顧客又は出品にこられた顧客が、展示室に立ち寄り、展示された商品を見て回り、実物を手に取りながら見て確認した上で、購入することも可能となる。また、換金時の商品券を利用することも、当然ながら可能である。
【００２５】
加盟店が増加することで、取り扱う商品の品目も増加し、オークションに出品される商品も増加することで、オークション市場も活性化すると共に、利用者の利便性も向上する。
【産業上の利用可能性】
【００２６】
未使用商品又は不必要となった商品を新たに流通させる仕組みのひとつとして、販売店等の加盟店がネットワークとしてつながり、消費者、出品者、加盟店それぞれが適正な利益を生み出し、消費経済効果も生まれるビジネス手法として利用が可能である。。
【図面の簡単な説明】
【００２７】
【図１】本発明の基本構成の一例を示す構成図
【図２】インターネットオークションシステムのブロック図
【図１】
2010026673.tif 000003
【図２】
2010026673.tif 000004